(57)【要約】  ディスプレイ装置が開示される。ディスプレイ装置は、コンテンツを映像処理し、第１スケーリング倍率でスケーリング処理する映像処理部と、第１スケーリング倍率でスケーリング処理されたコンテンツの解像度及びディスプレイ装置の出力解像度に基づいて第２スケーリング倍率を決定する制御部と、第１スケーリング倍率でスケーリング処理されたコンテンツを第２スケーリング倍率に応じてスケーリング処理してディスプレイするディスプレイ部とを含む。
2017528765.tif 000002
【特許請求の範囲】
【請求項１】
ディスプレイ装置において、
コンテンツを映像処理して第１スケーリング倍率でスケーリング処理する映像処理部と、
前記第１スケーリング倍率でスケーリング処理されたコンテンツの解像度及び前記ディスプレイ装置の出力解像度に基づいて第２スケーリング倍率を決定する制御部と、
前記第１スケーリング倍率でスケーリング処理されたコンテンツを前記第２スケーリング倍率に応じてスケーリング処理してディスプレイするディスプレイ部と
を含むディスプレイ装置。
【請求項２】
前記映像処理部は、
前記コンテンツを第１スケーリング倍率でスケーリング処理する第１スケーラを含み、
前記ディスプレイ部は、
前記第１スケーリング倍率でスケーリング処理されたコンテンツを前記決定された前記第２スケーリング倍率に応じてスケーリング処理する第２スケーラを含むことを特徴とする請求項１に記載のディスプレイ装置。
【請求項３】
前記第１スケーラは、
前記コンテンツの特性情報及び前記ディスプレイ装置の電力状態のうち、少なくとも１つに基づいて前記第１スケーリング倍率及び前記第１スケーラのスケーリング処理方式を決定することを特徴とする請求項２に記載のディスプレイ装置。
【請求項４】
前記第１スケーラは、
前記コンテンツの特性情報及び前記第１スケーラのスケーリング処理方法に関する情報のうち、少なくとも１つを前記第２スケーラに伝送し、
前記第２スケーラは、
前記コンテンツの特性情報及び前記第１スケーラのスケーリング処理方式に関する情報のうち、少なくとも１つに基づいて前記第２スケーラのスケーリング処理方式を決定することを特徴とする請求項２に記載のディスプレイ装置。
【請求項５】
前記第２スケーラは、
前記コンテンツの特性情報に基づいてピクセルの配置構造を判断し、前記判断されたピクセルの配置構造に基づいて前記ピクセルのスケーリング加重値を決定し、前記決定されたピクセルのスケーリング加重値及び前記第１スケーラのスケーリング処理方式に関する情報のうち、少なくとも１つに基づいて前記第２スケーラのスケーリング処理方式を決定することを特徴とする請求項４に記載のディスプレイ装置。
【請求項６】
前記第１スケーラは、
前記コンテンツのフレーム別に前記第１スケーリング倍率及び前記第１スケーラのスケーリング処理方式を異なるように適用してスケーリング処理し、
前記制御部は、
前記コンテンツのフレーム別に前記第２スケーリング倍率を決定し、
前記第２スケーラは、
前記コンテンツのフレーム別に前記第２スケーラのスケーリング処理方式を決定し、前記コンテンツのフレーム別に決定された前記第２スケーラのスケーリング処理方式及び前記第２スケーリング倍率に基づいてスケーリング処理することを特徴とする請求項４に記載のディスプレイ装置。
【請求項７】
前記第１スケーリング倍率は０超過１未満であり、前記第２スケーリング倍率は１超過であり、
前記第１スケーラは、前記コンテンツをダウンスケーリング処理し、
前記第２スケーラは、前記ダウンスケーリング処理されたコンテンツをアップスケーリング処理することを特徴とする請求項２に記載のディスプレイ装置。
【請求項８】
前記コンテンツの特性情報は、
前記コンテンツの種類、前記コンテンツに含まれるオブジェクトの境界線の大きさ及び分布、前記コンテンツに含まれる文字の種類と、分布及び解像度のうち少なくとも１つを含むことを特徴とする請求項３に記載のディスプレイ装置。
【請求項９】
前記映像処理部と前記ディスプレイ部とを接続するインターフェース部を更に含み、
前記第１スケーリング倍率でスケーリング処理されたコンテンツ、前記コンテンツの特性情報及び前記第１スケーラのスケーリング処理方式に関する情報は、前記インターフェース部を介して伝送されることを特徴とする請求項４に記載のディスプレイ装置。
【請求項１０】
ディスプレイ装置と、
前記ディスプレイ装置にコンテンツを提供するためのコンテンツ提供装置と
を含み、
前記コンテンツ提供装置は、
前記コンテンツを映像処理して第１スケーリング倍率でスケーリング処理して前記ディスプレイ装置に伝送し、
前記ディスプレイ装置は、
前記第１スケーリング倍率でスケーリング処理されたコンテンツの解像度及び前記ディスプレイ装置の出力解像度に基づいて第２スケーリング倍率を決定し、前記第１スケーリング倍率でスケーリング処理されたコンテンツを前記第２スケーリング倍率に応じてスケーリング処理してディスプレイするシステム。
【請求項１１】
前記コンテンツ提供装置は、
前記コンテンツの特性情報、前記コンテンツ提供装置の電力状態及び前記ディスプレイ装置との接続状態のうち、少なくとも１つに基づいて前記第１スケーリング倍率及び前記コンテンツ提供装置のスケーリング処理方式を決定することを特徴とする請求項１０に記載のシステム。
【請求項１２】
前記コンテンツ提供装置は、
前記コンテンツの特性情報及び前記コンテンツ提供装置のスケーリング処理方式に関する情報のうち、少なくとも１つを前記ディスプレイ装置に伝送し、
前記ディスプレイ装置は、
前記コンテンツの特性情報及び前記コンテンツ提供装置のスケーリング処理方式に関する情報のうち、少なくとも１つに基づいて前記ディスプレイ装置のスケーリング処理方式を決定することを特徴とする請求項１１に記載のシステム。
【請求項１３】
前記ディスプレイ装置は、
複数のスケーラ部と、
前記複数のスケーラ部のうちの一部はターンオフさせ、残りの一部は前記第１スケーリング倍率でスケーリング処理されたコンテンツを前記第２スケーリング倍率に応じてスケーリング処理するように制御する制御部と
を含むことを特徴とする請求項１２に記載のシステム。
【請求項１４】
第１スケーラ及び第２スケーラを含むディスプレイ装置の制御方法において、
コンテンツを映像処理して第１スケーリング倍率でスケーリング処理するステップと、
前記第１スケーリング倍率でスケーリング処理されたコンテンツの解像度及び前記ディスプレイ装置の出力解像度に基づいて第２スケーリング倍率を決定するステップと、
前記第１スケーリング倍率でスケーリング処理されたコンテンツを前記第２スケーリング倍率に応じてスケーリング処理してディスプレイするステップと
を含むディスプレイ装置の制御方法。
【請求項１５】
前記第１スケーリング倍率でスケーリング処理するステップは、
前記コンテンツの特性情報及び前記ディスプレイ装置の電力状態のうち、少なくとも１つに基づいて前記第１スケーリング倍率及び前記第１スケーラのスケーリング処理方式を決定することを特徴とする請求項１４に記載のディスプレイ装置の制御方法。
【発明の詳細な説明】
【技術分野】
【０００１】
本発明は、ディスプレイ装置、システム及びその制御方法に関し、より詳細には、コンテンツをスケーリング処理してディスプレイするディスプレイ装置、システム及びその制御方法に関する。
【背景技術】
【０００２】
電子技術の発展により、多様な電子製品が開発及び普及されている。特に、テレビ、携帯電話、パソコン、ノートパソコン、ＰＤＡなどのような各種ディスプレイ装置は、殆どの一般家庭でも多く使われている。
【０００３】
ディスプレイ装置の使用が増加するにつれ、より多様な機能に対するユーザのニーズ（Ｎｅｅｄｓ）も増大しつつある。それにより、ユーザのニーズに合致するための各メーカーの取り組みも更に加速化し、従来にはない新たな機能を備えた製品が続々登場している。
【０００４】
それにより、ディスプレイ装置で行われる機能も多様化するようになった。特に、ディスプレイ装置がサポートする解像度が多様化するにつれ、このような多様な解像度に合わせて映像処理及びスケーリング処理を行ってディスプレイする機能が重視されるようになった。
【０００５】
従来のスケーリング処理技術は、多様なリソースを使用して入力映像のエッジ情報を分析し、入力映像をディスプレイ装置の出力解像度で再生成したり補間する作用を行うものである。例えば、代表的な方法としては、Ｂｉ−Ｌｉｎｅａｒ  Ｓｃａｌｅｒ、Ｂｉ−Ｃｕｂｉｃ  Ｓｃａｌｅｒなどがある。
【０００６】
なお、従来のスケーリング処理技術は、主に３×３以上のＭａｓｋ  ｗｉｎｄｏｗを使用してエッジ情報を検出し、当該エッジ方向に応じてスケーリング処理した後、鮮明度改善アルゴリズムを後処理の形で適用するものであり、入力映像の解像度をディスプレイ装置の出力解像度に合わせてスケーリング処理することが一般的である。
【０００７】
そして、ディスプレイ装置の出力解像度に合わせてスケーリング処理されたコンテンツはディスプレイ装置の出力解像度に合わせられたデータレートを有するインターフェースを通じてディスプレイ部に伝送する。
【０００８】
しかし、最初からコンテンツをディスプレイ装置の出力解像度に合わせてスケーリング処理し、それをディスプレイ部に伝送することは電力効率及びリソース使用の側面から不利になるという問題があった。
【発明の概要】
【発明が解決しようとする課題】
【０００９】
そこで、本発明は、上記問題に鑑みてなされたものであり、本発明の目的とするところは、複数のスケーラを使ってコンテンツをスケーリング処理するディスプレイ装置、システム及びその制御方法を提供することにある。
【課題を解決するための手段】
【００１０】
このような目的を達成するための本発明の一実施形態に係るディスプレイ装置は、コンテンツを映像処理して第１スケーリング倍率でスケーリング処理する映像処理部と、前記第１スケーリング倍率でスケーリング処理されたコンテンツの解像度及び前記ディスプレイ装置の出力解像度に基づいて第２スケーリング倍率を決定する制御部と、前記第１スケーリング倍率でスケーリング処理されたコンテンツを前記第２スケーリング倍率に応じてスケーリング処理してディスプレイするディスプレイ部とを含む。
【００１１】
ここで、前記映像処理部は、前記コンテンツを第１スケーリング倍率でスケーリング処理する第１スケーラを含み、前記ディスプレイ部は、前記第１スケーリング倍率でスケーリング処理されたコンテンツを前記決定された前記第２スケーリング倍率に応じてスケーリング処理する第２スケーラを含む。
【００１２】
なお、前記第１スケーラは、前記コンテンツの特性情報及び前記ディスプレイ装置の電力状態のうち、少なくとも１つに基づいて前記第１スケーリング倍率及び前記第１スケーラのスケーリング処理方式を決定してよい。
【００１３】
なお、前記第１スケーラは、前記コンテンツの特性情報及び前記第１スケーラのスケーリング処理方法に関する情報のうち、少なくとも１つを前記第２スケーラに伝送し、前記第２スケーラは、前記コンテンツの特性情報及び前記第１スケーラのスケーリング処理方式に関する情報のうち、少なくとも１つに基づいて前記第２スケーラのスケーリング処理方式を決定してよい。
【００１４】
なお、前記第２スケーラは、前記コンテンツの特性情報に基づいてピクセルの配置構造を判断し、前記判断されたピクセルの配置構造に基づいて前記ピクセルのスケーリング加重値を決定し、前記決定されたピクセルのスケーリング加重値及び前記第１スケーラのスケーリング処理方式に関する情報のうち、少なくとも１つに基づいて前記第２スケーラのスケーリング処理方式を決定してよい。
【００１５】
そして、前記第１スケーラは、前記コンテンツのフレーム別に前記第１スケーリング倍率及び前記第１スケーラのスケーリング処理方式を異なるように適用してスケーリング処理し、前記制御部は、前記コンテンツのフレーム別に前記第２スケーリング倍率を決定し、前記第２スケーラは、前記コンテンツのフレーム別に前記第２スケーラのスケーリング処理方式を決定し、前記コンテンツのフレーム別に決定された前記第２スケーラのスケーリング処理方式及び前記第２スケーリング倍率に基づいてスケーリング処理してよい。
【００１６】
なお、前記第１スケーリング倍率は０超過１未満であり、前記第２スケーリング倍率は１超過であり、前記第１スケーラは、前記コンテンツをダウンスケーリング処理し、前記第２スケーラは、前記ダウンスケーリング処理されたコンテンツをアップスケーリング処理する。
【００１７】
ここで、前記コンテンツの特性情報は、前記コンテンツの種類、前記コンテンツに含まれるオブジェクトの境界線の大きさ及び分布、前記コンテンツに含まれる文字の種類と、分布及び解像度のうち少なくとも１つを含んでよい。
【００１８】
一方、前記映像処理部と前記ディスプレイ部とを接続するインターフェース部を更に含み、前記第１スケーリング倍率でスケーリング処理されたコンテンツ、前記コンテンツの特性情報及び前記第１スケーラのスケーリング処理方式に関する情報は、前記インターフェース部を介して伝送されてよい。
【００１９】
一方、本発明の一実施形態に係るシステムは、ディスプレイ装置と、前記ディスプレイ装置にコンテンツを提供するためのコンテンツ提供装置とを含み、前記コンテンツ提供装置は、前記コンテンツを映像処理して前記第１スケーリング倍率でスケーリング処理して前記ディスプレイ装置に伝送し、前記ディスプレイ装置は、前記第１スケーリング倍率でスケーリング処理されたコンテンツの解像度及び前記ディスプレイ装置の出力解像度に基づいて第２スケーリング倍率を決定し、前記第１スケーリング倍率でスケーリング処理されたコンテンツを前記第２スケーリング倍率に応じてスケーリング処理してディスプレイする。
【００２０】
そして、前記コンテンツ提供装置は、前記コンテンツの特性情報、前記コンテンツ提供装置の電力状態及び前記ディスプレイ装置との接続状態のうち、少なくとも１つに基づいて前記第１スケーリング倍率及び前記コンテンツ提供装置のスケーリング処理方式を決定してよい。
【００２１】
ここで、前記コンテンツ提供装置は、前記コンテンツの特性情報及び前記コンテンツ提供装置のスケーリング処理方式に関する情報のうち、少なくとも１つを前記ディスプレイ装置に伝送し、前記ディスプレイ装置は、前記コンテンツの特性情報及び前記コンテンツ提供装置のスケーリング処理方式に関する情報のうち、少なくとも１つに基づいて前記ディスプレイ装置のスケーリング処理方式を決定してよい。
【００２２】
なお、前記ディスプレイ装置は、複数のスケーラ部と、前記複数のスケーラ部のうちの一部はターンオフさせ、残りの一部は前記第１スケーリング倍率でスケーリング処理されたコンテンツを前記第２スケーリング倍率に応じてスケーリング処理されるように制御する制御部とを含む。
【００２３】
一方、本発明の一実施形態に係る第１スケーラ及び第２スケーラを含むディスプレイ装置の制御方法は、コンテンツを映像処理して第１スケーリング倍率でスケーリング処理するステップと、前記第１スケーリング倍率でスケーリング処理されたコンテンツの解像度及び前記ディスプレイ装置の出力解像度に基づいて第２スケーリング倍率を決定するステップと、前記第１スケーリング倍率でスケーリング処理されたコンテンツを前記第２スケーリング倍率に応じてスケーリング処理してディスプレイするステップとを含む。
【００２４】
ここで、前記第１スケーリング倍率でスケーリング処理するステップは、前記コンテンツの特性情報及び前記ディスプレイ装置の電力状態のうち、少なくとも１つに基づいて前記第１スケーリング倍率及び前記第１スケーラのスケーリング処理方式を決定してよい。
【００２５】
なお、本発明の一実施形態に係るディスプレイ装置の制御方法は、前記コンテンツの特性情報及び前記第１スケーラのスケーリング処理方式に関する情報のうち、少なくとも１つを前記第２スケーラに伝送するステップを更に含み、前記ディスプレイするステップは、前記コンテンツの特性情報及び前記第１スケーラのスケーリング処理方式に関する情報のうち、少なくとも１つに基づいて前記第２スケーラのスケーリング処理方式を決定してよい。
【００２６】
そして、前記ディスプレイするステップは、前記コンテンツの特性情報に基づいてピクセルの配置構造を判断し、前記判断されたピクセルの配置構造に基づいて前記ピクセルのスケーリング加重値を決定し、前記決定されたピクセルのスケーリング加重値及び前記第１スケーラのスケーリング処理方式に関する情報のうち、少なくとも１つに基づいて前記第２スケーラのスケーリング処理方式を決定してよい。
【００２７】
なお、前記第１スケーリング倍率でスケーリング処理するステップは、前記コンテンツのフレーム別に前記第１スケーリング倍率及び前記第１スケーラのスケーリング処理方式を異なるように適用してスケーリング処理し、前記第２スケーリング倍率を決定するステップは、前記コンテンツのフレーム別に前記第２スケーリング倍率を決定し、前記ディスプレイするステップは、前記コンテンツのフレーム別に前記第２スケーラのスケーリング処理方式を決定し、前記コンテンツのフレーム別に決定された前記第２スケーラのスケーリング処理方式及び前記第２スケーリング倍率に基づいてスケーリング処理してよい。
【００２８】
ここで、前記第１スケーリング倍率は０以上１未満であり、前記第２スケーリング倍率は１超過であり、前記第１スケーリング倍率でスケーリング処理するステップは、前記コンテンツをダウンスケーリング処理し、前記ディスプレイするステップは、は前記ダウンスケーリング処理されたコンテンツをアップスケーリング処理する。
【００２９】
そして、前記コンテンツの特性情報は、前記コンテンツの種類、前記コンテンツに含まれるオブジェクトの境界線の大きさ及び分布、前記コンテンツに含まれる文字の種類と、分布及び解像度のうち少なくとも１つを含んでよい。
【発明の効果】
【００３０】
以上説明したように、本発明によれば、複数のスケーラを使用してコンテンツをスケーリング処理することで、電力消耗及びリソース使用を低減させることができる。
【図面の簡単な説明】
【００３１】
【図１】本発明の一実施形態に係るディスプレイ装置の構成を示すブロック図である。
【図２】本発明の一実施形態に係るディスプレイ装置の詳細な構成を示すブロック図である。
【図３】本発明の一実施形態に係るコンテンツの特性による第２スケーラの処理方式を示す図である。
【図４】本発明の一実施形態に係る第２スケーラのスケーリング処理方式を決定する過程を説明するための図である。
【図５】本発明の一実施形態に係る第２スケーラのスケーリング処理方式を決定する過程を説明するための図である。
【図６】本発明の一実施形態に係る第２スケーラのスケーリング処理方式を決定する過程を説明するための図である。
【図７】本発明の一実施形態に係るデータレートの低減効果を説明するための表である。
【図８】本発明の一実施形態に係るデータレートの低減効果を説明するための表である。
【図９】本発明の一実施形態に係る多様な動作モードを説明するための図である。
【図１０】本発明の一実施形態に係る多様な動作モードを説明するための図である。
【図１１】本発明の一実施形態に係る多様な動作モードを説明するための図である。
【図１２】本発明の一実施形態に係る多様な動作モードを説明するための図である。
【図１３】本発明の一実施形態に係る多様な動作モードを説明するための図である。
【図１４】本発明の一実施形態に係る多様な動作モードを説明するための図である。
【図１５】本発明の一実施形態に係るフレーム別にスケーリング処理することを説明するための図である。
【図１６】本発明の一実施形態に係るシステムの構成を示すブロック図である。
【図１７】本発明の一実施形態に係るシステムを構成するディスプレイ装置の詳細な構成を示す図である。
【図１８】本発明の一実施形態に係る第１スケーラ及び第２スケーラを含むディスプレイ装置の制御方法を説明するためのフローチャートである。
【発明を実施するための形態】
【００３２】
以下に添付図面を参照しながら、本発明の好適な実施形態について詳細に説明する。そして、本発明を説明するうえで、関連の公知機能或いは構成に対する具体的な説明が本発明の要旨を不要に曖昧にすると判断された場合、その詳細な説明は省略する。そして、後述の用語は、本発明における機能を考慮して定義された用語であって、それは使用者、運用者の意図または関係などによって変えられてよい。そのため、その定義は本明細書の全般にわたる内容に基づいて下されるべきである。
【００３３】
図１は、本発明の一実施形態に係るディスプレイ装置の構成を示すブロック図である。図１によると、ディスプレイ装置１００は、映像処理部１１０、制御部１２０及びディスプレイ部１３０を含む。ここで、ディスプレイ装置１００は、テレビ、電子黒板、電子テーブル、ＬＤＦ（Ｌａｒｇｅ  Ｆｏｒｍａｔ  Ｄｉｓｐｌａｙ）、スマートフォン、タブレット、デスクトップパソコン、ノートパソコンなどのような多様な電子装置で実現されてよい。
【００３４】
映像処理部１１０は、コンテンツを映像処理して第１スケーリング倍率でスケーリング処理する。例えば、映像処理部１１０は、コンテンツソースから入力されたコンテンツをデコード、スケーリング処理及びフレームレート変換などの動作を行い、ディスプレイ部１３０から出力可能な形態で映像処理を行うことができるが、ここで映像処理部１１０は、コンテンツをスケーリング処理の際、第１スケーリング倍率でスケーリング処理を行うことができる。第１スケーリング倍率を決定する方法に関する説明は後述する。
【００３５】
制御部１２０は、映像処理部１１０において第１スケーリング倍率でスケーリング処理されたコンテンツの解像度及びディスプレイ装置１００の出力解像度に基づいて第２スケーリング倍率を決定する。例えば、映像処理部１１０でコンテンツが１９２０×１０８０のスケーリング倍率でスケーリング処理された場合、映像処理部１１０でスケーリング処理されたコンテンツの解像度は１９２０×１０８０であり、ディスプレイ装置１００の出力解像度が２５６０×１４４０と仮定する場合、制御部１２０は映像処理部１１０でスケーリング処理されたコンテンツの解像度である１９２０×１０８０と、ディスプレイ装置１００の出力解像度である２５６０×１４４０とを比較し、第２スケーリング倍率を決定することができる。
【００３６】
ディスプレイ部１３０は、映像処理部１１０で第１スケーリング倍率でスケーリング処理されたコンテンツを制御部１２０で決定された第２スケーリング倍率に応じてスケーリング処理してディスプレイすることができる。
【００３７】
一方、ディスプレイ部１３０は、コンテンツをディスプレイするために、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔ  Ｅｍｉｉｔｉｎｇ  Ｄｉｓｐｌａｙ：ＯＬＥＤ）、またはプラズマ表示パネル（Ｐｌａｓｍａ  Ｄｉｓｐｌａｙ  Ｐａｎｅｌ：ＰＤＰ）などで実現されてよい。
【００３８】
一方、図２は、本発明の一実施形態に係るディスプレイ装置の詳細な構成を示すブロック図である。図２を参照すると、映像処理部１１０は、Ｃｏｎｔｅｎｔｓ  Ｐｌａｙｅｒ１１１、第１スケーラ１１２及びＦｒａｍｅ  Ｂｕｆｆｅｒ１１３を含んでよい。一方、図示していないが、コンテンツを提供するコンテンツソースを更に含んでよく、このようなコンテンツソースは映像処理部１１０の外部に存在してよい。
【００３９】
Ｃｏｎｔｅｎｔｓ  Ｐｌａｙｅｒ１１１は、コンテンツソース（図示せず）から入力されたコンテンツをデコードし、映像処理して再生する動作を行うことができる。
【００４０】
そして、第１スケーラ１１２は、コンテンツを第１スケーリング倍率に応じて１次的にスケーリング処理することができる。具体的に、第１スケーラは、Ｃｏｎｔｅｎｔｓ  Ｐｌａｙｅｒ１１１で映像処理されたコンテンツを第１スケーリング倍率に応じてスケーリング処理することができるが、ここで第１スケーリング倍率は、０を超過して無限大な値を有してよい。
【００４１】
例えば、第１スケーリング倍率が０と１との間の値を有する場合、第１スケーラ１１２は映像処理されたコンテンツをダウンスケーリング処理を行い、第１スケーリング倍率が１の値を有する場合、第１スケーラ１１２は映像処理されたコンテンツの原本解像度を保つようにし、第１スケーリング倍率が１超の値を有する場合には、第１スケーラ１１２はアップスケーリング処理を行うようになる。
【００４２】
すなわち、映像処理されたコンテンツの解像度が１９２０×１０８０と仮定すると、第１スケーリング倍率が０と１との間に値に設定される場合、第１スケーラ１１２は映像処理されたコンテンツの解像度を１２８０×７２０にダウンスケーリング処理し、第１スケーリング倍率が１を超過する値に設定される場合には、第１スケーラ１１２は映像処理されたコンテンツの解像度を２５６０×１４４０にアップスケーリング処理する。
【００４３】
なお、Ｆｒａｍｅ  Ｂｕｆｆｅｒ１１３は、第１スケーラ１１２で第１スケーリング倍率に応じて、スケーリング処理されたコンテンツをフレーム単位でディスプレイ部１３０に出力することができる。
【００４４】
一方、図２を参照すると、ディスプレイ部１３０は第２スケーラ１３１を含んでよい。
【００４５】
第２スケーラ１３１は、第１スケーラ１１２で第１スケーリング倍率に応じてスケーリング処理されたコンテンツを第２スケーリング倍率に応じてスケーリング処理することができる。ここで、第２スケーリング倍率は、制御部１２０によって決定されてよく、制御部１２０は第１スケーリング倍率でスケーリング処理されたコンテンツの解像度及びディスプレイ装置１００の出力解像度に基づいて、第２スケーリング倍率を決定することができる。
【００４６】
例えば、第１スケーリング倍率でスケーリング処理されたコンテンツの解像度に対応するスケーリングファクタ（Ｆａｃｔｏｒ）がｓｃａｌｅ  Ｍであり、ディスプレイ装置１００の出力解像度に対応するスケーリングファクタがｓｃａｌｅ  Ｎであるとしたら、制御部１２０は下記の数式（１）を通じて第２スケーリング倍率を決定することができる。
【００４７】
第２スケーリング倍率＝ｓｃａｌｅ  Ｍ／ｓｃａｌｅ  Ｎ      （１）
そして、第２スケーラ１３１は、第１スケーリング倍率に応じてスケーリング処理されたコンテンツを上述のように、制御部１２０によって決定された第２スケーリング倍率に応じてスケーリング処理することができる。
【００４８】
同様に、第２スケーリング倍率は０を超過して無限大の値を有してよく、第２スケーリング倍率が０と１との間の値を有する場合、第２スケーラ１３１は第１スケーリング倍率に応じてスケーリング処理されたコンテンツをダウンスケーリング処理し、第２スケーリング倍率が１の値を有する場合、第２スケーラ１３１は第１スケーリング倍率に応じてスケーリング処理されたコンテンツを解像度を保ち、第２スケーリング倍率が１を超過する値を有する場合には、第２スケーラ１３１は第１スケーリング倍率に応じてスケーリング処理されたコンテンツをアップスケーリング処理する。
【００４９】
一方、第１スケーラ１１２は、コンテンツの特性情報及びディスプレイ装置の電力状態のうち、少なくとも１つに基づいて第１スケーリング倍率及び第１スケーラ１１２のスケーリング処理方式を決定することができる。
【００５０】
ここで、コンテンツの特性情報は、コンテンツの種類、コンテンツに含まれるオブジェクトの境界線の大きさ及び分布、コンテンツに含まれる文字の種類と、分布及び解像度のうち、少なくとも１つを含んでよい。
【００５１】
このようなコンテンツの特性情報は、Ｃｏｎｔｅｎｔｓ  Ｐｌａｙｅｒ１１１または第１スケーラ１１２によって検出されてよく、第１スケーラ１１２がコンテンツをスケーリング処理する前か、スケーリング処理の間に検出されてよい。
【００５２】
例えば、コンテンツの種類がテキストである場合、テキストは境界線が明確であるという特徴を有しているため、第１スケーラ１１２はこのようなテキストの特徴を考慮し、第１スケーリング倍率及び第１スケーラ１１２のスケーリング処理方式を決定することができる。
【００５３】
なお、コンテンツの種類が自然の風景を含むイメージである場合、このようなイメージは自然の風景に対応するオブジェクトの間の境界線がテキストに比べて相対的に不明であるという特徴を有するため、第１スケーラ１１２はこのような自然の風景を含むイメージの特徴を考慮し、第１スケーリング倍率及び第１スケーラ１１２のスケーリング処理方式をコンテンツがテキストである場合と異なるように決定することができる。
【００５４】
なお、コンテンツに含まれるオブジェクトの境界線の大きさや、厚さ及び分布形態、コンテンツに含まれる文字の種類と、分布及びコンテンツの解像度に応じて、第１スケーラ１１２は第１スケーリング倍率及び第１スケーラ１１２の処理方式を異なるように決定することができる。それに対する詳細な説明は後述する。
【００５５】
なお、ディスプレイ装置１００の電力消耗量が増加して低電力で動作する必要がある場合、第１スケーラ１１２は第１スケーリング倍率を低い値に決定することができる。すなわち、低電力動作を要求する状況が発生する場合、第１スケーラ１１２は第１スケーリング倍率を０と１との間の値に決定してコンテンツをダウンスケーリング処理することができる。
【００５６】
一方、ディスプレイ装置１００の電力消耗量が小さく高い電力で動作しても問題のない場合、または高画質のコンテンツをスケーリング処理しなければならない場合、第１スケーラ１１２は第１スケーリング倍率を高い値に決定することができる。すなわち、低電力動作が要求されない状況では、第１スケーラ１１２は第１スケーリング倍率を１超の値に決定してコンテンツをアップスケーリング処理することもできる。
【００５７】
一方、第２スケーラ１３１は、第１スケーラ１１２と連動して動作することができる。具体的に、第２スケーラ１３１は、第１スケーラの特性を考慮して動作することができ、第１スケーラ１１２の特性に応じて第２スケーラのスケーリング処理特性が変更されてよい。
【００５８】
ここで、第１スケーラ１１２の特性は、第１スケーリング倍率及び第１スケーラの処理方式に関連する。
【００５９】
そして、第１スケーラ１１２は、コンテンツの特性情報及び第１スケーラ１１２のスケーリング処理方式に関する情報のうち、少なくとも１つを第２スケーラに伝送する。それにより、第２スケーラ１３１は、第１スケーラ１１２から受信されたコンテンツの特性情報及び第１スケーラ１１２のスケーリング処理方式に関する情報のうち、少なくとも１つに基づいて第２スケーラ１３１のスケーリング処理方式を決定することができる。
【００６０】
すなわち、第２スケーラ１３１は、第１スケーラ１１２の特性を考慮して動作するために、第１スケーラ１１２のスケーリング処理方式に関する情報を受信し、なお、このような第１スケーラ１１２のスケーリング処理方式はコンテンツの特性に応じて変更され得るため、コンテンツの特性に関する情報も受信する。図３を参照してより詳細に説明する。
【００６１】
図３は、本発明の一実施形態に係るコンテンツの特性による第２スケーラの処理方式を示す図である。図３を参照すると、第１スケーリング倍率に応じてスケーリング処理されたコンテンツの２×２ピクセル３１０から第１スケーラ１３１によって２つの方式３２０、３３０によってスケーリング処理され得ることが分かる。
【００６２】
すなわち、上述の例において、コンテンツの種類がテキストのような文字である場合、テキストは境界線が明確であるとの特徴があるため、第２スケーラ１３１が行うスケーリング処理方式も境界線が明確になるようにする方式でなければならないため、このような条件を満たすスケーリング処理方式は一番目の方式３２０であることが分かる。
【００６３】
一番目の方式３２０は、二番目の方式３３０に比べて凸凹した箇所が少なく、オブジェクト間の境界を明確にするうえで適している。
【００６４】
なお、コンテンツの種類が自然の風景を含むイメージである場合、自然の風景に対応するオブジェクト間の境界線はテキストに比べて明確になる必要がなく、自然かつ滑らかに見せる特徴を有するため、第２スケーラ１３１が行うスケーリング処理方式も境界線が明確になるのではなく、自然かつ滑らかに見えるようにする方式でなければならないため、このような条件を満たすスケーリング処理方式は二番目の方式３３０であることが分かる。
【００６５】
二番目の方式３３０は、一番目の方式３２０に比べて凸凹した箇所が多く、オブジェクト間の境界が滑らかかつ自然になるようにするうえで適している。
【００６６】
図３で説明したように、第２スケーラ１３１が選択できるスケーリング処理方式は多様であり、第２スケーラ１３１はコンテンツの特性情報及び第１スケーラ１１２のスケーリング処理方式に関する情報のうち、少なくとも１つに基づいて多様なスケーリング処理方式の中から１つを選択してコンテンツをスケーリング処理することができる。
【００６７】
一方、再度図２を参照すると、本発明の一実施形態に係るディスプレイ装置１００は、映像処理部１１０とディスプレイ部１３０とを接続するインターフェース部１４０を更に含んでよい。
【００６８】
そして、映像処理部１１０または映像処理部１１０に含まれた第１スケーラ１１２は、インターフェース部１４０を介して第１スケーリング倍率でスケーリング処理されたコンテンツ、コンテンツの特性情報及び第１スケーラ１１２のスケーリング処理方式に関する情報をディスプレイ部１３０または第２スケーラ１３１に伝送することができる。
【００６９】
ここで、インターフェース部１４０は、直列型または並列型または両方の混合型であってよく、無線または無線または両方の混合型であってよい。ない、インターフェース部１４０は、Ｃｈｉｐ−ｔｏ−Ｃｈｉｐの形態、多様な種類のＰＣＢ、半導体チップ内部の専用或いは共用バス、Ｍａｓｔｅｒ／Ｓｌａｖｅで構成された有無線ネットワーク及びＰｅｅｒ  ｔｏ  Ｐｅｅｒの有無線ネットワークなどで実現されてよい。
【００７０】
一方、第２スケーラ１３１は、コンテンツの特性情報に基づいてピクセルの配置構造を判断し、判断されたピクセルの配置構造に基づいてピクセルのスケーリング加重値を決定し、決定されたピクセルのスケーリング加重値及び第１スケーラ１１２のスケーリング処理方式に関する情報のうち、少なくも１つに基づいて第２スケーラ１３１のスケーリング処理方式を決定することができる。
【００７１】
すなわち、図３を参照して説明したように、第２スケーラ１３１はコンテンツの特性情報及び第１スケーラ１１２のスケーリング処理方式に関する情報のうち、少なくとも１つに基づいて多様なスケーリング処理方式のうちの１つを選択してコンテンツをスケーリング処理することができるが、第２スケーラ１３１がコンテンツの特性情報に基づいて第２スケーラ１３１のスケーリング処理方式を決定する詳細な過程については、図４ないし図６を通じて説明する。
【００７２】
図４ないし図６は、本発明の一実施形態に係る第２スケーラのスケーリング処理方式を決定する過程を説明するための図である。
【００７３】
図４は、通常使用されるスケーリング処理方式のうち、Ｂｉ−ｌｉｎｅａｒのスケーリング処理方式に関し、地点（Ｘ１、Ｙ１）、地点（Ｘ１、Ｙ２）、地点（Ｘ２、Ｙ１）、地点（Ｘ２、Ｙ２）からなる領域４００内に存在する地点（Ｘ、Ｙ）に対応するピクセルに対してスケーリング処理の際、第２スケーラ１３１は地点（Ｘ１、Ｙ１）に対応するピクセルのＲ，Ｇ、Ｂ値と、地点（Ｘ、Ｙ）及び地点（Ｘ２、Ｙ２）を含む領域４２０に基づいて算出された値、地点（Ｘ１、Ｙ２）に対応するピクセルのＲ、Ｇ、Ｂ値と地点（Ｘ、Ｙ）及び地点（Ｘ２、Ｙ１）を含む領域４３０に基づいて算出された値、地点（Ｘ２、Ｙ２）に対応するピクセルＲ、Ｇ、Ｂ値と地点（Ｘ、Ｙ）及び地点（Ｘ１、Ｙ１）を含む領域４４０に基づいて算出された値、及び地点（Ｘ２、Ｙ１）に対応するピクセルＲ、Ｇ、Ｂ値と地点（Ｘ、Ｙ）及び地点（Ｘ１、Ｙ２）を含む領域４１０に基づいて算出された値を合計して地点（Ｘ、Ｙ）に対応するピクセルＲ、Ｇ、Ｂ値を算出することができる。
【００７４】
なお、例えば、第２スケーラ１３１が２×２の原本ピクセルを参照する場合、ピクセルに関する情報は、図５のように６５の場合に分けることができる。ここで、第２スケーラ１３１は、第１スケーラ１１２のスケーリング処理方式を考慮してピクセルの配置構造を分析すると、実際に活用されるピクセルの配置構造は図６のように、２２の場合に圧縮することができる。
【００７５】
さらに、第２スケーラ１３１は、図６の２２の場合と実際に活用されるピクセルの配置構造を再び１０の分類に分けてピクセルのスケーリング加重値を決定することができる。
【００７６】
なお、第２スケーラ１３１は、決定されたピクセルのスケーリング加重値及び第１スケーラ１１２のスケーリング処理方式に関する情報のうち、少なくとも１つに基づいて第２スケーラ１３１のスケーリング処理方式を決定し、第２スケーラ１３１は上述のように、決定されたスケーリング処理方式を通じて、第１スケーラ１１２と連動してスケーリング処理された映像の鮮明度とＪａｇｇｉｎｇ要素を制御して最適の画質を生成することができる。
【００７７】
このように、ピクセルのスケーリング加重値及び第１スケーラ１１２のスケーリング処理方式に関する情報のうち、少なくとも１つに基づいて図３のように、コンテンツの種類に応じて第２スケーラ１３１のスケーリング処理方式３２０、３３０を異なるように決定することができる。
【００７８】
例えば、第２スケーラ１３１が第１スケーラ１１２からコンテンツに含まれるオブジェクトの質感に関する情報を受信した場合、第２スケーラ１３１は受信されたオブジェクトの質感に関する情報に基づいてピクセルの配置構造を判断し、ピクセルのスケーリング加重値を決定することができる。そして、第２スケーラ１３１は、オブジェクトの質感に関する情報に基づいて決定されたピクセルのスケーリング加重値及び第１スケーラ１１２のスケーリング処理方式に関する情報のうち、少なくとも１つに基づいて第２スケーラ１３１のスケーリング処理方式を決定することができる。このように決定された第２スケーラ１３１のスケーリング処理方式によってスケーリング処理されたコンテンツは、オブジェクトの質感を十分に反映することができるようになる。
【００７９】
図７及び図８は、本発明の一実施形態に係るデータレートの低減効果を説明するための表である。
【００８０】
図７を参照すると、原本コンテンツの解像度が２５６０×１４４０であり、ディスプレイ装置１００の出力解像度が２５６０×１４４０の場合、従来、すなわち映像処理部１１０でディスプレイ装置１００の出力解像度に合わせてスケーリング処理する場合には、第１スケーラ１１２がディスプレイ装置１００の出力解像度と同様にスケーリング処理することで、原本コンテンツの解像度は２５６０×１４４０に保たれ、その後、Ｆｒａｍｅ  Ｂｕｆｆｅｒ１１３、インターフェース部１４０及びディスプレイ部１３０のいずれにおいてもコンテンツの解像度は２５６０×１４４０に処理されるしかなかった。
【００８１】
それに比べて、本発明の一実施形態に係る第１スケーラ１１２は、原本コンテンツの解像度を２５６０×１４４０から１９２０×１０８０にダウンスケーリング処理し、それにより、Ｆｒａｍｅ  Ｂｕｆｆｅｒ１１３、インターフェース部１４０のいずれにおいてもコンテンツの解像度は１９２０×１０８０に処理されてよく、その後、ディスプレイ部１３０で再び解像度を２５６０×１４４０にアップスケーリング処理するようになる。
【００８２】
それにより、従来に比べて、Ｆｒａｍｅ  Ｂｕｆｆｅｒ１１３、インターフェース部１４０で処理されるコンテンツの解像度が低くなるにつれて、データレートも低減（４４％減）し、それにより、電力またはリソースの消耗量も減少するようになる。
【００８３】
図８を参照すると、原本コンテンツの解像度が１２８０×７２０であり、ディスプレイ装置１００の出力解像度が２５６０×１４４０の場合、従来は第１スケーラ１１２０が最初から原本コンテンツの解像度を１２８０×７２０からディスプレイ装置１００の出力解像度である２５６０×１４４０にアップスケーリング処理し、このように解像度が２５６０×１４４０にアップスケーリング処理されたコンテンツは、Ｆｒａｍｅ  Ｂｕｆｆｅｒ１１３、インターフェース部１４０及びディスプレイ部１３０で同様の解像度を維持したまま処理される。
【００８４】
それに比べて、本発明の一実施形態に係る第１スケーラ１１２は、最初から原本コンテンツの解像度をディスプレイ装置１００の出力解像度にアップスケーリング処理せずに、原本コンテンツの解像度を１２８０×７２０に同様に維持し、このように、解像度が１２８０×７２０で同様に維持されたコンテンツはＦｒａｍｅ  Ｂｕｆｆｅｒ１１３、インターフェース部１４０でも同様の解像度を維持したまま処理される。その後、ディスプレイ部１３０で解像度を２５６０×１４４０にアップスケーリング処理されるようになる。
【００８５】
それにより、従来に比べて、Ｆｒａｍｅ  Ｂｕｆｆｅｒ１１３、インターフェース部１４０でコンテンツは２５６０×１４４０ではない１２８０×７２０の解像度に処理されることで、データレートも低減（７５％減）し、それにより、電力またはリソースの消耗量も減少するようになる。
【００８６】
一方、第１スケーラ１１２または第２スケーラ１３１は、入力されるコンテンツの解像度を同様に維持することができるが、それは第１スケーリング倍率または第２スケーリング倍率を１に設定して実現することができるが、第１スケーラ１１２または第２スケーラ１３１をターンオフさせることで実現することもできる。
【００８７】
図９ないし図１４は、本発明の一実施形態に係る多様な動作モードを説明するための図である。
【００８８】
図９を参照すると、映像処理部１１０にコンテンツが入力されると（Ｓ９１０）、コンテンツを分析してコンテンツの特性情報を検出する。そして、ディスプレイ装置１００は、ユーザ操作を入力されるための入力部（図示せず）を更に含んでよく、制御部１２０は、入力部（図示せず）を介して入力されたユーザ操作によるユーザ設定結果によって第１スケーラ１１２及び第２スケーラ１３１を制御し、それぞれのスケーリング倍率及びスケーリング処理方式を調整することもできる。
【００８９】
制御部１２０は、コンテンツの特性情報及びユーザ設定結果のうち、少なくとも１つを考慮し（Ｓ９２０）、５つの動作モード（Ｍｏｄｅ  ０、Ｍｏｄｅ  １、Ｍｏｄｅ  ２、Ｍｏｄｅ  ３、Ｍｏｄｅ  ４）のうちの１つの動作モードを決定することができる。ここで、動作モードの数は、５に限定されず、ディスプレイ装置１００の電力状態、コンテンツの特性、ユーザ設定などに応じて動作モードの数は更に多くなってよい。
【００９０】
図１０ないし図１４を参照し、各動作モード（Ｍｏｄｅ  ０、Ｍｏｄｅ  １、Ｍｏｄｅ  ２、Ｍｏｄｅ  ３、Ｍｏｄｅ  ４）について詳細に説明する。
【００９１】
図１０を参照すると、コンテンツの解像度がディスプレイ装置１００の出力解像度より大きいか同様である場合、制御部１２０は動作モードをＭｏｄｅ  ０に決定し、第１スケーラ１１２は第１スケーリング倍率を１より小さく設定してコンテンツをダウンスケーリングする（Ｓ１０１０）。そして、制御部１２０は、第１スケーリング倍率で処理されたコンテンツの解像度及びディスプレイ装置１００の出力解像度を考慮して第２スケーリング倍率を決定し（Ｓ１０２０）、第２スケーラ１３１は決定された第２スケーリング倍率に応じて、第１スケーリング倍率で処理されたコンテンツをアップスケーリング処理して映像復元を行うことができる（Ｓ１０３０）。
【００９２】
ここで、第１スケーラ１１２は、コンテンツの特性情報及びディスプレイ装置の電力状態のうち、少なくとも１つに基づいて第１スケーリング倍率及び第１スケーラ１１２のスケーリング処理方式を決定することができ、なお、コンテンツの解像度を今後ディスプレイ部１３０で十分復元するようにするための解像度に関するメタデータまたは高周波成分を更に検出することもできる。
【００９３】
このように、第１スケーラ１１２は、第１スケーリング倍率及び第１スケーラ１１２のスケーリング処理方式を決定するのに使用されたコンテンツの特性情報、ディスプレイ装置の電力状態に関する情報及びディスプレイ部１３０でコンテンツ復元をサポートするためのコンテンツの解像度に関するメタデータまたは高周波成分などに関する情報を付加情報の形態で第２スケーラ１３１に伝送することができる（Ｓ１０４０）。
【００９４】
そして、第２スケーラ１３１は、第１スケーラ１１２から受信された付加情報に含まれたコンテンツの特性情報、第１スケーラのスケーリング処理方式、コンテンツの解像度に関するメタデータまたは高周波成分などを考慮し、第２スケーラ１３１のスケーリング処理方式を決定することができる。
【００９５】
図１１を参照すると、制御部１２０が動作モードをＭｏｄｅ  １に決定したものとして、図１０のコンテンツの解像度がディスプレイ装置１００の出力解像度より大きいか同様の場合に限定せず、コンテンツの特性やユーザ操作によるユーザ設定によって特定解像度または特定倍率までは第１スケーラ１１２が担当し（Ｓ１１１０）、その後、第２スケーラ１３１がディスプレイ装置１００の出力解像度に合わせてスケーリング処理する（Ｓ１１２０）。すなわち、図１１では、第１スケーラ１１２が入力されたコンテンツをコンテンツの特性やユーザ設定によってダウンスケーリング処理することもでき、アップスケーリング処理することもでき、それにより、第２スケーラ１３１は第１スケーラ１１２で決定された第１スケーリング倍率及び第１スケーラ１１２のスケーリング処理方式によってアップスケーリング処理することもでき、ダウンスケーリング処理することもできる。
【００９６】
なお、それと同様に、第１スケーラ１１２はコンテンツの特性情報及びディスプレイ装置の電力状態のうち、少なくとも１つに基づいて第１スケーリング倍率及び第１スケーラ１１２のスケーリング処理方式を決定することができ、なお、コンテンツの解像度をその後ディスプレイ部１３０で十分に復元するようにするための解像度に関するメタデータまたは高周波成分を更に検出することもでき、第２スケーラ１３１は第１スケーラ１１２から受信された付加情報に含まれたコンテンツの特性情報、第１スケーラのスケーリング処理方式、コンテンツの解像度に関するメタデータまたは高周波成分などを考慮し、第２スケーラ１３１のスケーリング処理方式を決定することができる。
【００９７】
図１２を参照すると、制御部１２０が動作モードをＭｏｄｅ  ２にに決定したものとして、第１スケーラ１１２は、第１スケーリング倍率を１に設定してコンテンツをスケーリング処理する（Ｓ１２１０）。すなわち、第１スケーラ１１２は、入力されたコンテンツに対してスケーリング倍率を適用して処理せず、入力されたコンテンツの原本解像度を維持する。このように、第１スケーラ１１２が入力されたコンテンツに対してスケーリング倍率を適用して処理しない動作は、第１スケーラ１１２がターンオフされて何の動作も行わないものとして実現されてよく、上述のように、第１スケーラ１１２が第１スケーリング倍率を１に設定してスケーリング処理するものとして実現されてよく、第１スケーラ１１２が入力されたコンテンツに関するデータをバイパス（Ｂｙ−ｐａｓｓ）させて出力するものとして実現されてよい。
【００９８】
そして、第１スケーラ１１２は、入力されたコンテンツの原本解像度をそのまま維持したまま、第２スケーラ１３１にコンテンツを伝送し、制御部１２０はコンテンツの原本解像度とディスプレイ装置１１０の出力解像度とを考慮し、第２スケーリング倍率を決定し、第２スケーラ１３１は第２スケーラ１３１のスケーリング処理方式を決定することができる（Ｓ１２２０）。
【００９９】
例えば、図８で説明したように、入力されたコンテンツの原本解像度が１２８０×７２０である場合、第１スケーラ１１２は入力されたコンテンツの解像度を１２８０×７２０に維持したまま、Ｆｒａｍｅ  Ｂｕｆｆｅｒ１１３及びインターフェース部１４０を介してディスプレイ部１３０に伝送し、ディスプレイ部１３０に備えられた第２スケーラ１３１はコンテンツの解像度である１２８０×７２０とディスプレイ装置１００の出力解像度である２５６０×１４４０を考慮し、第２スケーリング倍率及び第２スケーラ１３１のスケーリング処理方式を決定する。そして、このような場合、Ｆｒａｍｅ  Ｂｕｆｆｅｒ１１３及びインターフェース部１４０を介して伝送されるコンテンツの解像度が１２８０×７２０に維持されることで、データレート、電力使用量、リソース使用量などが低減することは既に述べている。
【０１００】
なお、それと同様に、第１スケーラ１１２はコンテンツの特性情報及びディスプレイ装置１００の電力状態のうち、少なくとも１つに基づいて第１スケーリング倍率及び第１スケーラ１１２のスケーリング処理方式を決定することができ、なお、コンテンツの解像度をその後ディスプレイ部１３０で十分に復元するようにするための解像度に関するメタデータまたは高周波成分を更に検出することもでき、第２スケーラ１３１は、第１スケーラ１１２から受信された付加情報に含まれたコンテンツの特性情報、第１スケーラのスケーリング処理方式、コンテンツの解像度に関するメタデータまたは高周波成分などを考慮し、第２スケーラ１３１のスケーリング処理方式を決定することができる。
【０１０１】
図１３を参照すると、制御部１２０が動作モードをＭｏｄｅ  ３に決定したものとして、従来主に使用するスケーリング処理方法に関し、第１スケーラ１１２が入力されたコンテンツをディスプレイ部１３０に伝送する前にディスプレイ装置１００の出力解像度でスケーリング処理することを示す。
【０１０２】
具体的に、第１スケーラ１１２は、入力されたコンテンツの解像度及びディスプレイ装置１００の出力解像度を考慮し、第１スケーリング倍率及び第１スケーラ１１２のスケーリング処理方法を決定して入力されたコンテンツをスケーリング処理し（Ｓ１３１０）、第２スケーラ１３１は、第１スケーラ１１２でスケーリング処理されたコンテンツに対してスケーリング倍率を適用して処理せずに、そのまま第１スケーラ１１２でスケーリング処理されたコンテンツの解像度を維持してディスプレイするようにする（Ｓ１３２０）。
【０１０３】
例えば、ユーザがビデオを見ていてタッチ操作を行ってユーザインターフェース画面がディスプレイされる場合や、ディスプレイ部１３０にディスプレイされる画面をキャプチャして保存しようとする場合、制御部１２０は第１スケーラ１１２及び第２スケーラ１３１をいずれも駆動してスケーリング処理せずに、第１スケーラ１１２のみを使用して迅速にスケーリング処理するようにすることができる。
【０１０４】
一方、制御部の動作がＭｏｄｅ３に決定された場合、第２スケーラ１３１はスケーリング処理動作を行わないため、第１スケーラ１１２はあえてコンテンツの特性情報、第１スケーラのスケーリング処理方式、コンテンツの解像度に関するメタデータまたは高周波成分などを含む付加情報を第２スケーラ１３１に伝送する必要はない。
【０１０５】
なお、第２スケーラ１３１は、第１スケーラ１１２でスケーリング処理されたコンテンツに対してスケーリング倍率を適用して処理せずに、第１スケーラ１１２でスケーリング処理されたコンテンツの解像度を維持するが、このように第２スケーラ１３１が第１スケーラ１１２でスケーリング処理されたコンテンツに対してスケーリング倍率を適用して処理しない動作は、第２スケーラ１３１がターンオフされて何の動作も行わないものとして実現されてよく、第２スケーラ１３１が第２スケーリング倍率で１に設定してスケーリング処理するものとして実現されてよく、第２スケーラ１３１が第１スケーラ１１２でスケーリング処理されたコンテンツに関するデータをバイパスさせて出力するものとして実現することもできる。
【０１０６】
図１４を参照すると、制御部１２０が動作モードをＭｏｄｅ４に決定したものとして、ディスプレイ装置１００が低電力で動作する場合を示すものである。具体的に、ユーザ設定やバッテリの残量が予め設定された閾値以下になる場合、またはユーザが設定した使用時間を保障するようにディスプレイ装置１００が動作しなければならない場合、制御部１２０は動作モードをＭｏｄｅ４に決定することができる。
【０１０７】
それにより、第１スケーラ１１２は、コンテンツの原本解像度がディスプレイ装置１００の出力解像度と同様であっても、第１スケーリング倍率を１より小さく設定し、入力されたコンテンツをダウンスケーリング処理し（Ｓ１４１０）、制御部１２０は第１スケーラ１１２でスケーリング処理されたコンテンツの解像度及びディスプレイ装置１００の出力解像度を考慮して第２スケーリング倍率を決定し、第２スケーラ１３１は第１スケーラ１１２でダウンスケーリング処理されたコンテンツをアップスケーリング処理することができる（Ｓ１４２０）。
【０１０８】
例えば、図７のように、入力されたコンテンツの原本解像度が２５６０×１４４０である場合、ディスプレイ装置１００のバッテリの残量が予め設定された閾値以下になり、低電力動作で動作する必要がある場合には、第１スケーラ１１２は入力されたコンテンツの原本解像度を１９２０×１０８０にダウンスケーリング処理し、１９２０×１０８０にダウンスケーリング処理されたコンテンツをＦｒａｍｅ  Ｂｕｆｆｅｒ１１３及びインターフェース部１４０を介してディスプレイ部１３０に伝送し、ディスプレイ部１３０に備えられた第２スケーラ１３１は、１９２０×１０８０にダウンスケーリング処理されたコンテンツを再びディスプレイ装置１００の出力解像度である２５６０×１４４０にアップスケーリング処理することができる。
【０１０９】
そうすることで、Ｆｒａｍｅ  Ｂｕｆｆｅｒ１１３及びインターフェース部１４０を介して伝送されるコンテンツは解像度が１９２０×１０８０として、データレートが４４％低減し、電力使用量及びリソース使用量も減少することで、ディスプレイ装置１００はバッテリ減少率を低下させる。
【０１１０】
なお、それと同様に、第１スケーラ１１２はコンテンツの特性情報及びディスプレイ装置の電力状態のうち、少なくとも１つに基づいて第１スケーリング倍率及び第１スケーラ１１２のスケーリング処理方式を決定することができ、なお、コンテンツの解像度をその後ディスプレイ部１３０で十分に復元するようにするための解像度に関するメタデータまたは高周波成分を更に検出することもでき、第２スケーラ１３１は第１スケーラ１１２から受信された付加情報に含まれたコンテンツの特性情報、第１スケーラのスケーリング処理方式、コンテンツの解像度に関するメタデータまたは高周波成分などを考慮し、第２スケーラ１３１のスケーリング処理方式を決定することができる。
【０１１１】
一方、第１スケーラ１１２は、コンテンツのフレーム別に第１スケーリング倍率及び第１スケーラ１１２のスケーリング処理方式を異なるように適用してスケーリング処理することができ、制御部１２０は、コンテンツのフレーム別に第２スケーリング倍率を決定し、第２スケーラ１３１はコンテンツのフレーム別に決定された第２スケーラ１３１のスケーリング処理方式及び制御部１２０で決定された第２スケーリング倍率に基づいてスケーリング処理することができる。
【０１１２】
すなわち、第１スケーラ１１２、制御部１２０及び第２スケーラ１３１は、コンテンツのフレーム別に第１スケーリング倍率、第１スケーラ１１２のスケーリング処理方式、第２スケーリング倍率及び第２スケーラ１３１のスケーリング処理方式を異なるように適用してスケーリング処理することができる。
【０１１３】
図１５は、本発明の一実施形態に係るフレーム別にスケーリング処理することを説明するための図である。図１５を参照すると、制御部１２０は、映像処理状態、コンテンツの特性及びディスプレイ装置１００の電力状態などを考慮し、動作モードをフレーム別１５１０、１５２０、１５３０、１５４０に決定することでき、決定されたモード動作に応じて、第１スケーラ１１２、制御部１２０及び第２スケーラ１３１は、フレーム別１５１０、１５２０、１５３０、１５４０に第１スケーリング倍率、第１スケーラ１１２のスケーリング処理方式、第２スケーリング倍率及び第２スケーラ１３１のスケーリング処理方式を異なるように適用してスケーリング処理することができる。
【０１１４】
例えば、制御部１２０は、フレーム１（１５１０）で動作モードをＭｏｄｅ１に決定してコンテンツの特性やユーザ設定によって特性解像度まで第１スケーラ１１２が担当し、その後、第２スケーラ１３１でディスプレイ装置１００の出力解像度に合わせてスケーリング処理した後、フレーム２（１５２０）でユーザのタッチ操作が入力されてユーザインターフェース画面を迅速に重畳画面でディスプレイしなければならない状況が発生すると、制御部１２０は動作モードをＭｏｄｅ３に決定し、第１スケーラ１１２が直ちに入力されたコンテンツまたはユーザ操作に対応するユーザインターフェース画面をディスプレイ装置１００の出力解像度までスケーリング処理する。
【０１１５】
そして、制御部１２０は、次に続くフレーム３（１５３０）では低電力で駆動するために、動作モードをＭｏｄｅ３に決定し、スケーリング処理した後、フレーム４（１５４０）で動作モードをＭｏｄｅ１に変更することができる。
【０１１６】
図１５で説明したように、第１スケーラ１１２、制御部１２０及び第２スケーラ１３１は、コンテンツの特性、ディスプレイ装置１００の電力状態及びユーザ設定などに応じて、コンテンツのフレーム別に相互異なるスケーリング倍率及びスケーリング処理方式を適用してスケーリング処理することができる。
【０１１７】
一方、第１スケーリング倍率が０超過１未満の値であり、第２スケーリング倍率が１超の値である場合、第１スケーラ１１２はコンテンツをダウンスケーリング処理し、第２スケーラ１３１はダウンスケーリング処理されたコンテンツをアップスケーリング処理することができる。
【０１１８】
図１６は、本発明の一実施形態に係るシステムの構成を示すブロック図である。
【０１１９】
システム１０００は、ディスプレイ装置２０、ディスプレイ装置２０にコンテンツを提供するためのコンテンツ提供装置１０及びコンテンツ提供装置１０でスケーリング処理されたコンテンツをディスプレイ装置２０に伝送するインターフェース部３０を含み、コンテンツ提供装置１０はコンテンツを映像処理し、第１スケーリング倍率でスケーリング処理してディスプレイ装置２０に伝送し、ディスプレイ装置２０は第１スケーリング倍率でスケーリング処理されたコンテンツの解像度及びディスプレイ装置２０の出力解像度に基づいて第２スケーリング倍率を決定し、第１スケーリング倍率でスケーリング処理されたコンテンツを第２スケーリング倍率に応じてスケーリング処理されてディスプレイする。
【０１２０】
例えば、モバイル装置（図示せず）とテレビ（図示せず）が無線通信を行ってモバイル装置（図示せず）で再生されるコンテンツをテレビ（図示せず）で再生するミラーリング動作を行う、モバイル装置（図示せず）は上述の映像処理部１１０のようにコンテンツを映像処理し、第１スケーリング倍率でスケーリング処理してテレビ（図示せず）に伝送し、テレビ（図示せず）はモバイル装置（図示せず）で第１スケーリング倍率でスケーリング処理されたコンテンツの解像度及びテレビ（図示せず）の出力解像度に基づいて第２スケーリング倍率を決定し、モバイル装置（図示せず）で第１スケーリング倍率でスケーリング処理されて受信されたコンテンツを第２スケーリング倍率に応じてスケーリング処理してディスプレイすることができる。
【０１２１】
このような場合、インターフェース部３０は、無線通信を実現されてよい。
【０１２２】
コンテンツ提供装置１０は、コンテンツの特性情報、コンテンツ提供装置の電力状態及びディスプレイ装置との接続状態のうち、少なくとも１つに基づいて第１スケーリング倍率及びコンテンツ提供装置１０のスケーリング処理方式を決定することができる。すなわち、コンテンツの解像度が高解像度か否か、コンテンツ提供装置１０のバッテリ消耗状態及びコンテンツ提供装置のディスプレイ装置が接続されたチャネル接続状態が円滑か否かなどを判断し、それに基づいて第１スケーリング倍率及びコンテンツ提供装置１０の第１スケーリング倍率及びコンテンツ提供装置１０のスケーリング処理方式を決定することができる。
【０１２３】
そして、コンテンツ提供装置１０は、コンテンツの特性情報及びコンテンツ提供装置１０のスケーリング処理方式に関する情報のうち、少なくとも１つをディスプレイ装置２０に伝送し、ディスプレイ装置２０はコンテンツの特性情報及びコンテンツ提供装置１０のスケーリング処理方式に関する情報のうち、少なくとも１つに基づいてディスプレイ装置２０のスケーリング処理方式を決定することができる。それについては、既に説明した第２スケーラ１３１のスケーリング処理方式を決定する過程が同様に適用されてよい。
【０１２４】
一方、図１７は、本発明の一実施形態に係るシステムを構成するディスプレイ装置の詳細な構成を示す図である。
【０１２５】
ディスプレイ装置２０は、複数のスケーラ部２１、２２及び制御部２３を含む。具体的に、制御部２３は、複数のスケーラ部２１、２２のうちの一部はターンオフさせ、残りの一部は第１スケーリング倍率でスケーリング処理されたコンテンツを第２スケーリング倍率に応じてスケーリング処理するように制御することができる。
【０１２６】
例えば、コンテンツ提供装置１０で、既にダウンスケーリング処理されたコンテンツがディスプレイ装置２０に入力されると、制御部２３は、第１スケーラ２１をターンオフさせてそのまま通過させ、第２スケーラ２２でディスプレイ装置２０の出力解像度に合わせてスケーリング処理するように制御することができる。
【０１２７】
勿論、制御部２３は、コンテンツの特性情報またはディスプレイ装置２０の電力状態などを考慮してコンテンツ提供装置１０で既にダウンスケーリング処理されたコンテンツに対して第１スケーラ２１で特定解像度にまでスケーリング処理するようにし、第２スケーラ２２でディスプレイ装置２０の出力解像度にまでスケーリング処理するように制御することもできる。
【０１２８】
なお、図１６及び図１７を参照して説明したシステム１０００でスケーリング処理する過程でも同様に、図１５で説明したコンテンツのフレーム別に相互異なるスケーリング倍率及びスケーリング処理方式を適用してスケーリング処理する方式が適用されてよい。
【０１２９】
図１８は、本発明の一実施形態に係る第１スケーラ及び第２スケーラを含むディスプレイ装置の制御方法を説明するためのフローチャートである。
【０１３０】
図１８に示す方法によると、コンテンツを映像処理して第１スケーリング倍率でスケーリング処理する（Ｓ１８１０）。
【０１３１】
そして、第１スケーリング倍率でスケーリング処理されたコンテンツの解像度及びディスプレイ装置１００の出力解像度に基づいて第２スケーリング倍率を決定する（Ｓ１８２０）。
【０１３２】
その後、第１スケーリング倍率でスケーリング処理されたコンテンツを第２スケーリング倍率に応じてスケーリング処理してディスプレイする（Ｓ１８３０）。
【０１３３】
ここで、第１スケーリング倍率でスケーリング処理するステップ（Ｓ１８１０）は、コンテンツの特性情報及びディスプレイ装置１００の電力状態のうち、少なくとも１つに基づいて第１スケーリング倍率及び第１スケーラ１１２のスケーリング処理方式を決定することができる。
【０１３４】
そして、本発明の一実施形態に係るディスプレイ装置の制御方法は、コンテンツの特性情報及び第１スケーラ１１２のスケーリング処理方式に関する情報のうち、少なくとも１つを第２スケーラ１３１に伝送するステップを更に含み、ディスプレイするステップ（Ｓ１８３０）は、コンテンツの特性情報及び第１スケーラ１１２のスケーリング処理方式に関する情報のうち、少なくとも１つに基づいて第２スケーラ１３１のスケーリング処理方式を決定することができる。
【０１３５】
そして、第１スケーリング倍率でスケーリング処理するステップ（Ｓ１８１０）は、コンテンツのフレーム別に第１スケーリング倍率及び第１スケーラ１１２のスケーリング処理方式を異なるように適用してスケーリング処理し、第２スケーリング倍率を決定するステップ（Ｓ１８２０）は、コンテンツのフレーム別に第２スケーリング倍率を決定し、ディスプレイするステップ（Ｓ１８３０）は、コンテンツのフレーム別に第２スケーラ１３１のスケーリング処理方式を決定し、コンテンツのフレーム別に決定された第２スケーラ１３１のスケーリング処理方式及び第２スケーリング倍率に基づいてスケーリング処理することができる。
【０１３６】
一方、第１スケーリング倍率は０以上１未満であり、第２スケーリング倍率は１以上である場合、第１スケーリング倍率でスケーリング処理するステップ（Ｓ１８１０）は、コンテンツをダウンスケーリング処理し、ディスプレイするステップ（Ｓ１８３０）は、ダウンスケーリング処理されたコンテンツをアップスケーリング処理する。
【０１３７】
ここで、コンテンツの特性情報は、コンテンツの種類、コンテンツに含まれるオブジェクトの境界線の大きさ及び分布、コンテンツに含まれる文字の種類と分布及び解像度のうち、少なくとも１つを含む。
【０１３８】
一方、本発明に係る制御方法を順次に行うプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１３９】
一例として、コンテンツを映像処理して第１スケーリング倍率でスケーリング処理するステップ、第１スケーリング倍率でスケーリング処理されたコンテンツの解像度及びディスプレイ装置の出力解像度に基づいて第２スケーリング倍率を決定するステップ及び第１スケーリング倍率でスケーリング処理されたコンテンツを第２スケーリング倍率に応じてスケーリング処理するステップを行うプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１４０】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１４１】
なお、ディスプレイ装置に対して示す上述のブロック図では、バス（ｂｕｓ）を示していないが、ディスプレイ装置で各構成要素間の通信は、バスを通じて行われてよい。なお、各デバイスには、上述の多様なステップを行うＣＰＵ、マイクロプロセッサなどのようなプロセッサが更に含まれてよい。
【０１４２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2017528765.tif 000003
【図２】
2017528765.tif 000004
【図３】
2017528765.tif 000005
【図４】
2017528765.tif 000006
【図５】
2017528765.tif 000007
【図６】
2017528765.tif 000008
【図７】
2017528765.tif 000009
【図８】
2017528765.tif 000010
【図９】
2017528765.tif 000011
【図１０】
2017528765.tif 000012
【図１１】
2017528765.tif 000013
【図１２】
2017528765.tif 000014
【図１３】
2017528765.tif 000015
【図１４】
2017528765.tif 000016
【図１５】
2017528765.tif 000017
【図１６】
2017528765.tif 000018
【図１７】
2017528765.tif 000019
【図１８】
2017528765.tif 000020
【国際調査報告】
2017528765.tif 000021
2017528765.tif 000022
2017528765.tif 000023
2017528765.tif 000024